(57)【要約】【課題】建物内に備えられた設備機器に対する消費電力量の削減指示を受け付けた際に、必要以上に消費電力量が削減され、建物内の作業環境が悪化することを低減させる設備制御システムを提供する。【解決手段】設備制御システムは、建物内の予め定められた領域ごとに備えられている設備機器と、消費電力量を削減する要求を上位の制御装置から受け付けると、領域ごとに、設備機器が消費している消費電力量を算出し、算出した消費電力量が電力閾値より高いか否かを判定し、算出した消費電力量が電力閾値より高い領域に対して、当該領域に備えられている設備機器の消費電力量を削減させる制御を行う制御部とを具備する。【選択図】図１
2012130176.tif 000002
【特許請求の範囲】
【請求項１】
建物内の予め定められた領域ごとに備えられている設備機器と、
消費電力量を削減する要求を上位の制御装置から受け付けると、前記領域ごとに、前記設備機器が消費している消費電力量を算出し、算出した消費電力量が電力閾値より高いか否かを判定し、算出した消費電力量が前記電力閾値より高い領域に対して、当該領域に備えられている設備機器の消費電力量を削減させる制御を行う制御部と
を具備することを特徴とする設備制御システム。
【請求項２】
前記領域ごとに当該領域内に在室する利用者の人数を検出する人検出部を更に具備し、
前記制御部は、前記領域ごとに、当該領域に在室する人数に応じた前記電力閾値を算出する
ことを特徴とする請求項１に記載の設備制御システム。
【請求項３】
前記領域を利用する利用者を識別する利用者識別子と、前記設備機器を稼動させる際の条件とを対応付けた設定情報を予め記憶している利用者設定記憶部を更に具備し、
前記人検出部は、
前記領域を利用する利用者それぞれが所持し、当該利用者の利用者識別子が記憶されている識別タグから利用者識別子を読み出し、
前記制御部は、前記領域ごとに、当該領域に在室する利用者の利用者識別子に対応する前記設定情報を読み出し、読み出した設定情報から前記電力閾値を算出する
ことを特徴とする請求項２に記載の設備制御システム。
【請求項４】
建物内の予め定められた領域ごとに備えられている設備機器を制御する設備制御システムにおける設備制御方法であって、
消費電力量を削減する要求を上位の制御装置から受け付けると、前記領域ごとに、前記設備機器が消費している消費電力量を算出し、算出した消費電力量が電力閾値より高いか否かを判定し、算出した消費電力量が前記電力閾値より高い領域に対して、当該領域に備えられている設備機器の消費電力量を削減させる制御を行う制御ステップを
有することを特徴とする設備制御方法。
【請求項５】
建物内の予め定められた領域ごとに備えられている設備機器を制御する設備制御システムに備えられているコンピュータに、
消費電力量を削減する要求を上位の制御装置から受け付けると、前記領域ごとに、前記設備機器が消費している消費電力量を算出し、算出した消費電力量が電力閾値より高いか否かを判定し、算出した消費電力量が前記電力閾値より高い領域に対して、当該領域に備えられている設備機器の消費電力量を削減させる制御を行う制御ステップを
実行させるための設備制御プログラム。
【発明の詳細な説明】
【技術分野】
【０００１】
本発明は、設備制御システム、設備制御方法、及び設備制御プログラムに関する。
【背景技術】
【０００２】
近年、ＣＯ２排出量削減、エネルギーコスト削減などを目的として、電力などのエネルギーの効率的な利用が求められている。エネルギーの効率的な利用を促進させる技術の一つとして、適切な電力使用の運用管理を目的としたデマンド制御（消費電力量の削減）を行うデマンド・コントロール装置が提案されている（特許文献１）。
【先行技術文献】
【特許文献】
【０００３】
【特許文献１】特開平５−１１１１５８号公報
【発明の概要】
【発明が解決しようとする課題】
【０００４】
しかしながら、上記の技術では、デマンド制御を行う場合、電力を消費する負荷に対して電力の供給を遮断して、予め定められた電力量の削減を行う。そのため、負荷に建物内の執務室などに設置された照明設備が含まれる場合、電力の供給を遮断して一律に減光が行われると、執務室において執務に要求される照度を得ることができずに、執務室における作業環境（視環境）が悪化してしまうという問題がある。
【０００５】
本発明は、上記問題を解決すべくなされたもので、その目的は、建物内に備えられた設備機器に対する消費電力量の削減指示を受け付けた際に、必要以上に消費電力量が削減され、建物内の作業環境が悪化することを低減させる設備制御システム、設備制御方法、及び設備制御プログラムを提供することにある。
【課題を解決するための手段】
【０００６】
上記問題を解決するために、本発明は、建物内の予め定められた領域ごとに備えられている設備機器と、消費電力量を削減する要求を上位の制御装置から受け付けると、前記領域ごとに、前記設備機器が消費している消費電力量を算出し、算出した消費電力量が電力閾値より高いか否かを判定し、算出した消費電力量が前記電力閾値より高い領域に対して、当該領域に備えられている設備機器の消費電力量を削減させる制御を行う制御部とを具備することを特徴とする設備制御システムである。
【０００７】
また、本発明は、上記に記載の発明において、前記領域ごとに当該領域内に在室する利用者の人数を検出する人検出部を更に具備し、前記制御部は、前記領域ごとに、当該領域に在室する人数に応じた前記電力閾値を算出することを特徴とする。
【０００８】
また、本発明は、上記に記載の発明において、前記領域を利用する利用者を識別する利用者識別子と、前記設備機器を稼動させる際の条件とを対応付けた設定情報を予め記憶している利用者設定記憶部を更に具備し、前記人検出部は、前記領域を利用する利用者それぞれが所持し、当該利用者の利用者識別子が記憶されている識別タグから利用者識別子を読み出し、前記制御部は、前記領域ごとに、当該領域に在室する利用者の利用者識別子に対応する前記設定情報を読み出し、読み出した設定情報から前記電力閾値を算出することを特徴とする。
【０００９】
また、本発明は、建物内の予め定められた領域ごとに備えられている設備機器を制御する設備制御システムにおける設備制御方法であって、消費電力量を削減する要求を上位の制御装置から受け付けると、前記領域ごとに、前記設備機器が消費している消費電力量を算出し、算出した消費電力量が電力閾値より高いか否かを判定し、算出した消費電力量が前記電力閾値より高い領域に対して、当該領域に備えられている設備機器の消費電力量を削減させる制御を行う制御ステップを有することを特徴とする設備制御方法である。
【００１０】
また、本発明は、建物内の予め定められた領域ごとに備えられている設備機器を制御する設備制御システムに備えられているコンピュータに、消費電力量を削減する要求を上位の制御装置から受け付けると、前記領域ごとに、前記設備機器が消費している消費電力量を算出し、算出した消費電力量が電力閾値より高いか否かを判定し、算出した消費電力量が前記電力閾値より高い領域に対して、当該領域に備えられている設備機器の消費電力量を削減させる制御を行う制御ステップを実行させるための設備制御プログラムである。
【発明の効果】
【００１１】
この発明によれば、領域ごとに設備機器が消費している消費電力量を算出し、算出した消費電力量が電力閾値より高い領域に備えられている設備機器に対して消費電力量を削減する制御を行うようにした。これにより、消費電力量を削減した場合においても、消費電力量が電力閾値以下の領域に備えられている設備機器に対しては、消費電力量が削減されないようにすることができ、必要以上に消費電力量が削減され建物内の作業環境が悪化することを低減させることができる。
【図面の簡単な説明】
【００１２】
【図１】第１実施形態における設備制御システム１の構成を示す概略ブロック図である。
【図２】同実施形態における閾値テーブル１３２Ａの一例を示す図である。
【図３】同実施形態における表示部１６に表示される画面情報の一例を示す図である。
【図４】同実施形態における電力閾値算出部１３２の電力閾値を算出する処理を示すフローチャートである。
【図５】同実施形態における調光制御部１３３の照明設備１１を制御する処理を示すフローチャートである。
【図６】第２実施形態における設備制御システム２の構成を示す概略ブロック図である。
【図７】同実施形態における電力閾値・調光率算出部２３２が行う電力閾値及び調光率を算出する処理のフローチャートである。
【発明を実施するための形態】
【００１３】
以下、図面を参照して、本発明の実施形態における設備制御システム、設備制御方法、及び設備制御プログラムを説明する。以下、実施形態において、建物内の領域（フロア）ごとに備えられている設備機器が照明設備である場合を例にして説明する。
【００１４】
（第１実施形態）
図１は、第１実施形態における設備制御システム１の構成を示す概略ブロック図である。同図に示すように、設備制御システム１は、Ｎ（Ｎは２以上の整数）個の照明設備１１（照明設備１１−１、照明設備１１−２、…、照明設備１１−Ｎ）、Ｎ個の人検出部１２（人検出部１２−１、人検出部１２−２、…、人検出部１２−Ｎ）、制御部１３、調光率記憶部１４、電力閾値記憶部１５、及び表示部１６を具備している。
設備制御システム１は、上位の制御装置であるビル管理システム９から消費電力量の削減要求を示す電力削減開始信号を受け付けると、建物内のフロアごとに備えられている照明設備１１（設備機器）が消費している消費電力量をフロア（領域）ごとに算出し、算出した消費電力量が電力閾値より高いか否かを判定し、算出した電力量が電力閾値より高いフロアに対して、当該フロアに備えられている設備機器の消費電力量を削減させる制御を行う。
以下、設備制御システム１の具体的な構成について説明する。
【００１５】
各照明設備１１は、建物内のフロアごとに備えられている。また、照明設備１１は、それぞれが、複数の照明器具１１１と、照明制御部１１２とを備えている。Ｍ（Ｍは２以上の整数）個の照明器具１１１（照明器具１１１−１、照明器具１１１−２、…、照明器具１１１−Ｍ）は、例えば、蛍光灯や、ＬＥＤ照明などであり、フロア内の各所に設置されている。照明制御部１１２は、各所に設置されている照明器具１１１それぞれの調光率を制御するとともに、照明器具１１１それぞれの識別子、調光率及び消費電力量と、当該照明器具１１１が設置されているフロアを識別する情報とを示す照明情報を制御部１３に出力する。
【００１６】
各人検出部１２は、それぞれが建物内のフロアごとに、照明設備１１とともに備えられており、フロア内に在室する利用者の人数を検出し、検出した人数と、フロアを識別する識別子とを示す人検出情報を制御部１３に出力する。人検出部１２は、例えば、各利用者が所持している識別タグに記憶されている情報を読み出すことにより、フロア内に在室している人数を検出する。
また、人検出部１２は、例えば、ＲＦＩＤ（Radio Frequency IDentification）技術を利用し、無線通信により利用者を識別する利用者識別子を識別タグから読み出して、フロア内に在室する利用者の人数を検出する。また、人検出部１２は、フロア内に在室する利用者の人数が変更するたびに、人検出情報を制御部１３に出力する。
【００１７】
制御部１３は、消費電力量算出部１３１、電力閾値算出部１３２、調光制御部１３３、及び調光率情報更新部１３４を備えている。消費電力量算出部１３１は、各照明制御部１１２から入力される照明情報から照明設備１１が消費する消費電力量をフロアごとに算出する。
電力閾値算出部１３２は、在室する人数ごとに電力閾値が予め記憶されている閾値テーブル１３２Ａを有している。また、電力閾値算出部１３２は、各人検出部１２から入力される人検出情報が示す人数に対応する電力閾値を閾値テーブル１３２Ａから読み出すことにより、フロアに在室する人数に応じた電力閾値をフロアごとに算出する。また、電力閾値算出部１３２は、算出した電力閾値を、入力された人検出情報が示すフロアの識別子に対応付けて電力閾値記憶部１５に記憶させる。
【００１８】
図２は、本実施形態における閾値テーブル１３２Ａの一例を示す図である。同図に示すように、閾値電力は、人数に関わらず消費する照明電力量ＱＢと、フロアに在室する人数に応じて変動する照明電力量ＱＮとの和である。照明電力量ＱＢは、照明器具１１１の待機電力量と、フロアに設置されている常時点灯する照明器具１１１の消費電力量との総和により予め算出された値である。ここで、常時点灯する照明器具１１１とは、例えば、非常灯や、廊下に設置されている照明器具などである。
例えば、フロアに在室している人数が「１人」に対して、照明電力量ＱＮとして１００［Ｗ］と、照明電力量ＱＢとして２００［Ｗ］とが対応付けられ、閾値電力として３００［Ｗ］が対応付けられている。また、人数が０人に対して、照明電力量ＱＮとして０［Ｗ］と、照明電力量ＱＢとして２００［Ｗ］とが対応付けられ、閾値電力として２００［Ｗ］が対応付けられている。
また、照明電力量ＱＮは、適正照度が得られるように在室する人数に応じて算出された値である。ここで、適正照度とは、利用者が執務する際の作業環境において要求される照度であり、例えば、５００ルクスが設定される。
【００１９】
図１に戻って設備制御システム１の説明を続ける。調光制御部１３３は、ビル管理システム９から消費電力量の削減要求を受け付けると、消費電力量算出部１３１が算出する消費電力量と、電力閾値記憶部１５に記憶されている電力閾値とに基づいて、フロアごとに照明設備１１に対して調光制御を行うか否かを判定し、判定結果に基づいて調光制御を行う。
調光率情報更新部１３４は、各照明制御部１１２から入力される照明情報を用いて、照明器具１１１それぞれの現在の調光率を調光率記憶部１４に記憶させる。
【００２０】
調光率記憶部１４には、照明設備１１それぞれに備えられている照明器具１１１ごとに、照明器具１１１を識別する識別子と、現在の調光率と、消費電力量を制限する際の調光率である制限時調光率とが対応付けられた調光率情報が記憶されている。なお、制限時調光率には、適正照度が得られる調光率であり、かつ、ビル管理システム９から電力削減開始信号を受信した際に要求される消費電力量を満たす消費電力量に対応する調光率が予め設定されている。
電力閾値記憶部１５には、電力閾値算出部１３２が算出する電力閾値が、各フロアを示す識別子に対応付けて記憶されている。
【００２１】
表示部１６は、調光率記憶部１４に記憶されている調光率情報に基づいて、フロアに設置されている照明器具１１１それぞれの調光率、及び消費電力量がフロアごとに表示される。
図３は、本実施形態における表示部１６に表示される画面情報の一例を示す図である。画面情報には、フロアに設置されている照明器具１１１の識別子と調光率とが照明器具１１１ごとに示されている。同図に示す例では、各照明器具１１１の識別子が１から７０までの数値により示されており、調光率（０％〜１００％）が円グラフを用いて示されている。また、画面情報には、フロアに設置されている照明器具１１１が消費している消費電力量の合計値（図３においては１１９４［Ｗ］）が示されている。
【００２２】
図４は、本実施形態における電力閾値算出部１３２の電力閾値を算出する処理を示すフローチャートである。
電力閾値算出部１３２は、人検出部１２から人検出情報が入力されると（ステップＳ１０１）、当該人検出情報が示す人数に対応する電力閾値を閾値テーブル１３２Ａから読み出し、読み出した電力閾値を当該フロアに対する電力閾値として電力閾値記憶部１５に記憶させる（ステップＳ１０２）。
【００２３】
図５は、本実施形態における調光制御部１３３の照明設備１１を制御する処理を示すフローチャートである。
調光制御部１３３は、ビル管理システム９から電力削減開始信号を受信したか否かを判定し、電力削減開始信号を受信した場合（ステップＳ２０１：ＹＥＳ）、処理をステップＳ２０２に進め、受信していない場合（ステップＳ２０１：ＮＯ）電力削減開始信号を受信するまで待機する。
【００２４】
調光制御部１３３は、電力削減開始信号を受信すると、ステップＳ２０２からステップＳ２０４をフロアごとに行う。調光制御部１３３は、フロアに対する電力閾値を電力閾値記憶部１５から読み出す（ステップＳ２０２）。
調光制御部１３３は、消費電力量算出部１３１から入力された当該フロアにおける消費電力量が、読み出した電力閾値より高いか否かを判定する（ステップＳ２０３）。
【００２５】
消費電力量が電力閾値より高い場合（ステップＳ２０３：ＹＥＳ）調光制御部１３３は、フロアに設置されている照明器具１１１ごとに、現在の調光率及び制限時調光率を読み出し、現在の調光率が制限時調光率より高い照明器具１１１に対して、調光率を制限時調光率に低減させる制御を要求する調光制御信号を照明制御部１１２に出力する（ステップＳ２０４）。
一方、消費電力量が電力閾値以下の場合（ステップＳ２０３：ＮＯ）調光制御部１３３は、次のフロアに対してステップＳ２０２〜Ｓ２０４の処理を行い、全てのフロアに対して処理を行った場合、ステップＳ２０５に処理を進める。
【００２６】
ステップＳ２０５において、調光制御部１３３は、ビル管理システム９から電力削減終了信号を受信したか否かを判定し、電力削減終了信号を受信した場合（ステップＳ２０５：ＹＥＳ）、照明設備１１の制御を終了し、電力削減終了信号を受信していない場合（ステップＳ２０５：ＮＯ）、処理をステップＳ２０２に戻して、ステップＳ２０２〜Ｓ２０４の処理を繰り返して行う。
【００２７】
上述の処理により、設備制御システム１は、ビル管理システム９から電力削減開始信号を受信すると、各フロアに設置された照明器具１１１の消費電力量をフロアごとに算出し、フロアの消費電力量がフロアに対して設定された電力閾値より高い場合、消費電力量を削減させるフロアであると判定し、当該フロアに設置された照明器具１１１に対して消費電力量を削減させる制御を行う。
これにより、消費電力量が電力閾値より低いフロア、すなわち、消費電力量の削減が十分に行われているフロアに対しては、消費電力量の削減を行わないので、照明器具１１１の調光率が下がることなく作業環境が悪化することを低減させることができる。このとき、消費電力量を削減される照明器具１１１において、利用者が執務する際の作業環境において要求される照度は、維持されるので、作業環境が悪化することを低減させることができる。
【００２８】
また、設備制御システム１は、消費電力量を削減するフロアに備えられた照明器具１１１に対して一律に調光率を下げずに、現在の調光率が制限時調光率より高い照明器具１１１に対して調光率を下げる制御を行うので、十分に消費電力量の削減が行われている照明器具１１１の調光率が下がることなく作業環境が悪化することを低減させることができる。
【００２９】
また、設備制御システム１は、フロアごとに在室する人数に基づいて、電力閾値を算出することにより、在室する人数の多いフロアでは電力閾値を高く設定し、在室する人数の少ないフロアでは電力閾値を低く設定している。これにより、在室する人数が多いフロアでは、使用される照明器具１１１が多くなり、在室する人数が少ないフロアでは使用される照明器具１１１が少なくなることに基づいた制御を用いて、減光の制御を行うので、作業環境が悪化することを低減させることができる。
【００３０】
（第２実施形態）
図６は、第２実施形態における設備制御システム２の構成を示す概略ブロック図である。なお、同図において、第１実施形態と同じ構成については、同じ符号を付してその説明を省略する。
設備制御システム２は、Ｎ個の照明設備１１（照明設備１１−１、照明設備１１−２、…、照明設備１１−Ｎ）、利用者設定記憶部２１、Ｎ個の人検出部２２（人検出部２２−１、人検出部２２−２、…、人検出部２２−Ｎ）、制御部２３、調光率記憶部１４、電力閾値記憶部１５、及び表示部１６を具備している。
【００３１】
利用者設定記憶部２１は、建物を利用する利用者を識別する利用者識別子と、照明設備１１を稼動させる際の条件とを対応付けた設定情報を予め記憶している。ここで、照明設備１１を稼動させる際の条件は、照明設備１１を稼動して得られる明るさを示す数値であって、例えば、照度である。また、利用者ごとに対応付けられている条件は、ビル管理システム９から電力削減開始信号を受信した際に要求される消費電力量を満たす消費電力量の範囲内において、利用者が設定した照度である。設定情報に含まれる照度は、例えば、利用者が執務を行う際の好みの照度や、利用者の執務内容（ＰＣを使う作業や、資料を閲覧する作業など）に応じた照度が設定される。
【００３２】
人検出部２２は、建物内のフロアごとに、照明設備１１とともに備えられており、フロア内に在室する利用者が所持する識別タグから当該利用者を識別する利用者識別子を読み出し、フロア内に在室する利用者を検出する。また、人検出部２２は、検出した利用者の利用者識別子と、当該フロアを識別するフロア識別子とを含む利用者情報を制御部２３に出力する。また、人検出部２２は、フロア内に在室する利用者が変更するたびに、利用者情報を制御部２３に出力する。
【００３３】
制御部２３は、消費電力量算出部１３１、電力閾値・調光率算出部２３２、調光制御部１３３、及び調光率情報更新部１３４を備えている。
電力閾値・調光率算出部２３２は、各人検出部２２から入力されるフロアごとの利用者情報に基づいて、電力閾値をフロアごとに算出する。また、電力閾値・調光率算出部２３２は、各人検出部２２から入力されるフロアごとの利用者情報に基づいて、各フロアに設定されている照明器具１１１それぞれの制限時調光率を算出し、算出した制限時調光率を調光率記憶部１４に書き込むことにより制限時調光率を更新する。
【００３４】
図７は、本実施形態における電力閾値・調光率算出部２３２が行う電力閾値及び調光率を算出する処理のフローチャートである。
電力閾値・調光率算出部２３２は、人検出部２２から利用者情報が入力されると（ステップＳ３０１）、当該利用者情報に含まれる利用者識別子に対応する設定情報を利用者設定記憶部２１から読み出す（ステップＳ３０２）。
【００３５】
電力閾値・調光率算出部２３２は、読み出した設定情報それぞれに含まれる照度の平均値を算出し、算出した平均値を、利用者情報に含まれるフロア識別子が示すフロアに対する基準照度にする（ステップＳ３０３）。
電力閾値・調光率算出部２３２は、入力された利用者情報が示すフロアにおいて、基準照度を得るための調光率を算出し（ステップＳ３０４）、算出した調光率を、当該フロアに設置されている照明器具１１１に対応する制限時調光率として調光率記憶部１４に書き込み、制限時調光率を更新する（ステップＳ３０５）。
【００３６】
また、電力閾値・調光率算出部２３２は、入力された利用者情報が示すフロアに在室する利用者の人数と、当該フロアに対する基準照度とから当該フロアに対する電力閾値を算出し、算出した電力閾値を当該フロアの識別子に対応付けて電力閾値記憶部１５に記憶させる（ステップＳ３０６）。
なお、電力閾値の算出は、基準照度ごとに、人数に応じた消費電力量が対応付けられている閾値テーブルを予め設けて、第１実施形態の電力閾値算出部１３２と同様に、行うようにしてもよい。
【００３７】
上述のように、電力閾値・調光率算出部２３２は、各フロアに在室している利用者が予め設定した照度に応じて、フロアにおける制限時調光率及び電力閾値を算出する。
そして、調光制御部１３３は、電力閾値記憶部１５に記憶されているフロアごとの電力閾値を用いて、消費電力を削減させる制御を行うか否かをフロアごとに判定する。また、調光制御部１３３は、消費電力量を削減させるフロアに対して、調光率記憶部１４に記憶されている当該フロアの各照明器具１１１に対応する制限時調光率を用いて、各照明器具１１１の調光率を低減させる制御を行う。
【００３８】
これにより、設備制御システム２は、消費電力量を削減させるフロアにおいて、各照明器具１１１の調光率は、利用者の好み、又はフロアにおける利用者の執務内容に応じた調光率を保ちつつ、消費電力量の削減を行うことができ、作業環境が悪化することを低減させることができる。また、設備制御システム２は、第１実施形態と同様に、十分に消費電力量の削減を行っているフロアに対しては、消費電力量の削減を行わないので、照明器具１１１の調光率が下がることなく作業環境が悪化することを低減させることができる。
【００３９】
なお、本実施形態において、電力閾値・調光率算出部２３２が設定情報それぞれに含まれる照度の平均値を基準照度にする構成を説明したが、これに限ることなく、設定情報それぞれに含まれる照度の最頻値や、最大値、中央値などの統計値を基準照度にするようにしてもよい。
【００４０】
なお、上述の第１及び第２実施形態において、照明設備１１が建物内のフロアごとに備えられている構成を説明したが、これに限ることなく、各フロアを複数の領域に分割し、分割した領域ごとに照明設備１１が備えられ、制御部１３（２３）が当該領域ごとに備えられた照明設備１１を制御するようにしてもよい。このとき、分割した領域ごとに人検出部１２（２２）を備え、当該領域内の利用者を検出するようにしてもよい。
【００４１】
また、上述の第１及び第２実施形態において、設備制御システム１が各フロアに設置されている照明器具１１１を制御する構成について説明したが、これに限ることなく、設備制御システム１が各フロアに設置されている換気設備、冷暖房設備、加湿設備などの設備機器を制御するようにしてもよい。これらの設備機器を制御する場合、設備機器を稼動させる際の条件には、換気設備に対する単位時間当たりの換気量を示す数値や、冷暖房設備に対する給気温度を示す数値、加湿設備対する湿度を示す数値などが予め定められることになる。
【００４２】
また、上述の第１及び第２実施形態において、各照明設備１１がＭ個の照明器具１１１を備えている構成を説明したが、これに限ることなく、各照明設備１１に備えられる照明器具１１１の個数は、異なっていてもよい。
また、上述の第１及び第２実施形態において、各照明設備１１の調光率を下げて、消費電力量を削減する際に、予め定めた時定数に従って徐々に調光率を下げるようにしてもよい。これにより、照度を緩やかに変化させることで、利用者に対する不快感を低減させることができる。
【００４３】
なお、本発明における制御部１３（２３）、調光率記憶部１４、電力閾値記憶部１５、及び利用者設定記憶部２１の機能を実現するためのプログラムをコンピュータ読み取り可能な記録媒体に記録して、この記録媒体に記録されたプログラムをコンピュータシステムに読み込ませ、実行することにより照明設備１１などの設備機器の制御を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。更に「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００４４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムに既に記録されているプログラムとの組み合わせで実現できるもの、いわゆる差分ファイル（差分プログラム）であっても良い。
【符号の説明】
【００４５】
１，２…設備制御システム
９…ビル管理システム
１１，１１−１，１１−２，１１−Ｎ…照明設備
１２，１２−１，１２−２，１２−Ｎ…人検出部
１３，２３…制御部
１４…調光率記憶部
１５…電力閾値記憶部
１６…表示部
２１…利用者設定記憶部
２２，２２−１，２２−２，２２−Ｎ…人検出部
１１１，１１１−１，１１１−２，１１１−Ｍ…照明器具
１１２…照明制御部
１３１…消費電力量算出部
１３２…電力閾値算出部
１３２Ａ…閾値テーブル
１３３…調光制御部
１３４…調光率情報更新部
２３２…電力閾値・調光率算出部
【図１】
2012130176.tif 000003
【図２】
2012130176.tif 000004
【図３】
2012130176.tif 000005
【図４】
2012130176.tif 000006
【図５】
2012130176.tif 000007
【図６】
2012130176.tif 000008
【図７】
2012130176.tif 000009